(57)【特許請求の範囲】
【請求項１】
装置を特定する識別情報を含む第１情報及び装置の形式を示す形式情報を含む第２情報を記録する不揮発性記録手段を有する複数の装置と、
該複数の装置を物理的に接続する伝送路とを備え、一の装置は、他の装置から第１及び第２情報を受信することによって、規定された接続を確立する通信システムにおいて、
一の装置は、
他の装置の伝送路上の論理的な位置を示す位置情報を検出する手段と、
他の装置へ第１情報の送信を要求する第１情報送信要求信号を送信する手段と
を備え、
他の装置は、受信した第１情報送信要求信号に基づいて、不揮発性記録手段から第１情報を読み取る手段と、
読み取った第１情報を一の装置へ送信する手段と
を備え、
一の装置は、更に、
検出した位置情報及び受信した第１情報に含まれる識別情報に基づいて、論理的な接続を確立する手段と、
論理的な接続を確立後、他の装置へ第２情報の送信を要求する第２情報送信要求信号を送信する手段と
を備え、
他の装置は、更に、
受信した第２情報送信要求信号に基づいて、不揮発性記録手段から第２情報を読み取る手段と、
読み取った第２情報を一の装置へ送信する手段と
を備え、
一の装置は、第２情報を受信することによって前記規定された接続を確立することを特徴とする通信システム。
【請求項２】
複数の装置を物理的に接続することが可能な伝送路に接続し、
装置を特定する識別情報を含む第１情報及び装置の形式を示す形式情報を含む第
２情報を記録する不揮発性記録手段を有する他の装置から第１及び第２情報を受信することによって、規定された接続を確立する通信装置において、
他の装置の伝送路上の論理的な位置を示す位置情報を検出する手段と、
他の装置へ第１情報の送信を要求する第１情報送信要求信号を送信する手段と、
受信した第１情報に含まれる識別情報及び取得した位置情報に基づいて、論理的な接続を確立する手段と、
論理的な接続を確立後、他の装置へ第２情報の送信を要求する第２情報送信要求信号を送信する手段と
を備え、
第２情報を受信することによって前記規定された接続を確立することを特
徴とする通信装置。
【請求項３】
前記規定された接続は、ＩＥＥＥ１３９４にて規定された通信規格に基づく接続であり、
前記位置情報は、ノードＩＤであり、
前記識別情報は、ＧＵＩＤであり、
前記形式情報は、製造会社、種別、及び機種名であり、前記不揮発性記録手段は、Configuration ＲＯＭである
ことを特徴とする請求項２に記載の通信装置。
【発明の詳細な説明】
【０００１】
【発明の属する技術分野】
本発明は伝送路に物理的に接続する複数の装置間で論理的な接続を確立させる通信システム及びそのシステムにて用いられる通信装置に関し、特にＩＥＥＥ１３９４にて規定されたバスインターフェースにて、通信異常又はトポロジー変化時に実施されるバスリセット後の論理的な接続の再確立を高速に行う通信システム及び通信装置に関する。
【０００２】
【従来の技術】
ＤＴＶ（デジタルテレビジョン）及びＤ−ＶＨＳデッキ等のＡＶ機器を中心として、家電製品を接続するホームネットワークに対する需要が急速に高まっている。
このため様々な機器を簡単に接続することが可能であり、高速な情報の伝送が可能なＩＥＥＥ１３９４にて規定された通信規格に基づく高速バスインターフェースが注目されている。
【０００３】
ＩＥＥＥ１３９４にて規定された通信規格に基づくバスインターフェースの特徴の一つとして、電源を入れたまま装置（ノード）を伝送路（バス）に接続した場合又は伝送路から外した場合、それまでの論理的な接続（コネクション）を解除するバスリセットが行われた後、自動的に論理的な接続の再確立が行われるホットプラグアンドプレイ機能がある。
なお装置の着脱によるシステム構成（トポロジー）の変化が起こった時だけでなく、通信異常が発生した時にも、バスリセット及び論理的な接続の再確立が実施される。
【０００４】
次にバスリセットが行われた後、伝送路に物理的に接続された装置にて行われる論理的な接続の再確立を説明する。
バスリセットが行われた場合、先ず伝送路に物理的に接続された夫々の装置間で伝送路上の位置関係を検出し、伝送路上の論理的な位置を示す位置情報の割り付けが行われ、更に他の装置に割り付けられた位置情報の検出が行われる。
そして各装置では、他の夫々の装置に対して、通信に必要な情報の送信を要求する情報送信要求信号を送信する。
【０００５】
各装置は、Configuration ＲＯＭと呼ばれる不揮発性の記録手段を有しており、Configuration ＲＯＭには、装置を特定するＧＵＩＤ(Global Unique Identifier)と呼ばれる識別情報並びに装置の製造会社、種別、及び機種名等の形式を示す形式情報が記録されており、情報送信要求信号を受信した場合に、情報送信要求信号の送信元の装置へConfiguration ＲＯＭから読み取った識別情報及び形式情報を送信する。
識別情報及び形式情報を受信した装置は、検出した位置情報及び受信した識別情報に基づいて、識別情報及び形式情報の送信元の装置と論理的な接続を確立し、形式情報に基づいて各種通信処理及び装置名の表示等の処理を行う。
【０００６】
【発明が解決しようとする課題】
しかしながら情報送信要求信号に対して、識別情報及び形式情報を読み取って送信するという処理は時間がかかるため、論理的な接続が完了するまでの時間が長いという問題があり、特に伝送路に接続する装置が増加する程、全ての装置と論理的な接続を完了するまでの時間が長くなり、最悪の場合、規定されている再確立の制限時間である１秒を超えてしまう可能性もあるという問題がある。
【０００７】
本発明は斯かる事情に鑑みてなされたものであり、バスリセットが行われた後、伝送路に物理的に接続された装置にて行われる論理的な接続の再確立を行う場合に、伝送路に接続された一の装置では、他の装置の位置情報を検出した後、他の装置に対し、Configuration ＲＯＭに記録されている情報の中で論理的な接続の確立に必要な識別情報の送信を要求し、受信した識別情報及び検出した位置情報に基づいて論理的な通信を確立した後に、形式情報の送信を要求することで、論理的な接続を完了するまでの時間を短縮し、制限時間を超える可能性を低減する通信システム、及びそのシステムにて用いられる通信装置の提供を目的とする。
【０００８】
【課題を解決するための手段】
第１発明に係る通信システムは、装置を特定する識別情報を含む第１情報及び装置の形式を示す形式情報を含む第２情報を記録する不揮発性記録手段を有する複数の装置と、該複数の装置を物理的に接続する伝送路とを備え、一の装置は、他の装置から第１及び第２情報を受信することによって、規定された接続を確立する通信システムにおいて、一の装置は、他の装置の伝送路上の論理的な位置を示す位置情報を検出する手段と、他の装置へ第１情報の送信を要求する第１情報送信要求信号を送信する手段とを備え、他の装置は、受信した第１情報送信要求信号に基づいて、不揮発性記録手段から第１情報を読み取る手段と、読み取った第１情報を一の装置へ送信する手段とを備え、一の装置は、更に、検出した位置情報及び受信した第１情報に含まれる識別情報に基づいて、論理的な接続を確立する手段と、論理的な接続を確立後、他の装置へ第２情報の送信を要求する第２情報送信要求信号を送信する手段とを備え、他の装置は、更に、受信した第２情報送信要求信号に基づいて、不揮発性記録手段から第２情報を読み取る手段と、読み取った第２情報を一の装置へ送信する手段とを備え、一の装置は、第２情報を受信することによって前記規定された接続を確立することを特徴とする。
【０００９】
第２発明に係る通信装置は、複数の装置を物理的に接続することが可能な伝送路に接続し、装置を特定する識別情報を含む第１情報及び装置の形式を示す形式情報を含む第２情報を記録する不揮発性記録手段を有する他の装置から第１及び第２情報を受信することによって、規定された接続を確立する通信装置において、他の装置の伝送路上の論理的な位置を示す位置情報を検出する手段と、他の装置へ第１情報の送信を要求する第１情報送信要求信号を送信する手段と、受信した第１情報に含まれる識別情報及び取得した位置情報に基づいて、論理的な接続を確立する手段と、論理的な接続を確立後、他の装置へ第２情報の送信を要求する第２情報送信要求信号を送信する手段とを備え、第２情報を受信することによって前記規定された接続を確立することを特徴とする。
【００１０】
第３発明に係る通信装置は、第２発明において、前記規定された接続は、ＩＥＥＥ１３９４にて規定された通信規格に基づく接続であり、前記位置情報は、ノードＩＤであり、前記識別情報は、ＧＵＩＤであり、前記形式情報は、製造会社、種別、及び機種名であり、前記不揮発性記録手段は、Configuration ＲＯＭであることを特徴とする。
【００１１】
本発明に係る通信システム及び通信装置では、ＤＴＶ及びＤ−ＶＨＳデッキ等の装置が接続された伝送路において、システム構成の変化及び通信異常の発生等の状況により、バスリセットが行われた場合、伝送路に接続された通信装置では、他の装置の位置情報を検出した後、他の装置に対し、不揮発性記録手段に記録されている情報の中で、先ず論理的な接続の確立に必要な識別情報の送信を要求し、受信した識別情報及び検出した位置情報に基づいて論理的な接続を確立した後で、不揮発性記録手段に記録されている他の情報の送信を要求するので、不揮発性記録手段に記録されている全ての情報を要求する場合と比べて、情報の読取及び送信等の処理を迅速に行うことができるので、バスリセットをしてから論理的な通信を確立するまでの時間を短縮することが可能であり、このため制限時間を超える可能性を低減することが可能である。
【００１２】
【発明の実施の形態】
以下、本発明をその実施の形態を示す図面に基づいて詳述する。
図１は本発明の通信システムの構成を示すブロック図である。
図中１０及び２０は、ＤＴＶ（デジタルテレビジョン）及びＤ−ＶＨＳデッキ等の第１及び第２通信装置（ノード）であり、第１通信装置１０及び第２通信装置２０は、ＩＥＥＥ１３９４にて規定された通信規格に基づく伝送路（バス）ＴＬにて物理的に接続され各種情報の通信を行う。
なお説明の便宜上、第１通信装置１０及び第２通信装置２０を区分して説明するが、夫々異なる働きをするものではなく、また伝送路ＴＬ上には３以上の通信装置が接続されていてもよい。
【００１３】
第１通信装置１０は、装置全体を制御するＣＰＵ１１、プログラム及びデータ等の情報を記録する不揮発性記録手段１２、一時的に発生する情報を記録する揮発性記録手段１３、伝送路ＴＬに物理的に接続する通信手段１４、押しボタン及びタッチパネル等の入力手段１５、並びにモニタ及び液晶パネル等の出力手段１６を備えている。
【００１４】
なお不揮発性記録手段１２の全部又は一部は、装置に関する情報を記録する読取専用メモリであるConfiguration ＲＯＭとして用いられており、Configuration ＲＯＭには、ＩＥＥＥ１３９４にて規定された通信規格に基づく装置であることを示す情報、装置を特定するＧＵＩＤ(Global Unique Identifier)と呼ばれる６４ｂｉｔ長の識別情報を含む第１情報、並びに製造会社、種別、及び機種名等の装置の形式を示す形式情報を含む第２情報等の各種情報が記録されている。
【００１５】
第２通信装置２０は、ＣＰＵ２１、不揮発性記録手段２２、揮発性記録手段２３、通信手段２４、入力手段２５、及び出力手段２６を備え、不揮発性記録手段２２の全部又は一部は第１情報及び第２条法統の各種情報を記録するConfiguration ＲＯＭとして用いられている。
【００１６】
次に本発明の通信システムにおける第１通信装置１０及び第２通信装置２０の処理を図２に示すフローチャートを用いて説明する。
装置の着脱によるシステム構成（トポロジー）の変化及び通信異常の発生等の状況により論理的な接続（コネクション）を解除するバスリセットが行われた場合、伝送路ＴＬに物理的に接続されている第１通信装置１０及び第２通信装置２０にて論理的な接続の再確立が開始される。
なお以降の説明では、第１通信装置１０が第２通信装置２０に対して論理的な接続を確立する形態を説明する。
【００１７】
先ず伝送路ＴＬに物理的に接続された夫々の装置間で伝送路ＴＬ上の位置関係を検出し、相互の位置関係より伝送路ＴＬ上の論理的な位置を示す位置情報が割り付けられ、更に互いの位置情報を検出する以下の処理を行う。
第１通信装置１０では、他の装置である第２通信装置２０の伝送路ＴＬ上の論理的な位置を示す位置情報を検出し（ステップＳ１）、第２通信装置２０を特定する識別情報を含む第１情報の送信を要求する第１情報送信要求信号を、第２通信装置２０へ送信する（ステップＳ２）。
【００１８】
第２通信装置２０では、第１情報送信要求信号を受信し（ステップＳ３）、受信した第１情報送信要求信号に基づいて、Configuration ＲＯＭとして用いられている不揮発性記録手段２２から第１情報を読み取り（ステップＳ４）、読み取った第１情報を第１通信装置１０へ送信する（ステップＳ５）。
【００１９】
第１通信装置１０では、第１情報を受信し（ステップＳ６）、ステップＳ１にて検出した位置情報及びステップＳ６にて受信した第１情報に含まれる識別情報に基づいて、第２通信装置２０に対する論理的な接続を確立する（ステップＳ７）。
なお伝送路ＴＬに、第１通信装置１０及び第２通信装置２０以外の装置がＩＥＥＥ１３９４にて規定される通信規格に基づいて物理的に接続されている場合、その装置についても同様の処理を行い、論理的な接続を確立する。
そしてＩＥＥＥ１３９４にて規定される通信規格に基づいて伝送路ＴＬに物理的に接続する全ての装置に対して、論理的な接続を確立させた後、第２通信装置２０の製造会社、種別、及び機種名等の形式を示す形式情報を含む第２情報の送信を要求する第２情報送信要求信号を、第２通信装置２０へ送信する（ステップＳ８）。
【００２０】
第２通信装置２０では、第２情報送信要求信号を受信し（ステップＳ９）、受信した第２情報送信要求信号に基づいて、Configuration ＲＯＭとして用いられる不揮発性記録手段２２から第２情報を読み取り（ステップＳ１０）、読み取った第２情報を第１通信装置１０へ送信する（ステップＳ１１）。
【００２１】
第１通信装置１０では、第２情報を受信する（ステップＳ１２）。
そして第１通信装置１０は、第２情報に含まれる形式情報に基づいて、第２通信装置２０の装置名の出力、及び出力した装置名を指示する入力を受け付けることによる第２通信装置２０の制御等の処理を行う。
【００２２】
前記実施の形態では、ＩＥＥＥ１３９４に規定された規格に基づく通信システムに適用する形態を示したが、本発明はこれに限らず、同様の処理ができる規格であればどの様な規格に基づく形態でもよく、また装置についてもＤＴＶ及びＤ−ＶＨＳデッキに限定するものではない。
【００２３】
【発明の効果】
以上詳述した如く本発明に係る通信システム及び通信装置では、ＤＴＶ及びＤ−ＶＨＳデッキ等の装置が接続された伝送路において、システム構成の変化及び通信異常の発生等の状況により、バスリセットが行われた場合、伝送路に接続された通信装置では、他の装置の位置情報を検出した後、他の装置に対し、不揮発性記録手段に記録されている情報の中で、先ず論理的な接続の確立に必要な識別情報の送信を要求し、受信した識別情報及び検出した位置情報に基づいて論理的な接続を確立した後に、不揮発性記録手段に記録されている他の情報の送信を要求するので、不揮発性記録手段に記録されている全ての情報を要求する場合と比べて、情報の読取及び送信等の処理を迅速に行うことができるので、バスリセットをしてから論理的な通信を確立するまでの時間を短縮することが可能であり、このため制限時間を超える可能性を低減することが可能である等、優れた効果を奏する。
【図面の簡単な説明】
【図１】本発明の通信システムの構成を示すブロック図である。
【図２】本発明の通信システムにおける第１通信装置及び第２通信装置の処理を示すフローチャートである。
【符号の説明】
１０  第１通信装置（ノード）
２０  第２通信装置（ノード）
１２，２２  不揮発性記録手段（Configuration ＲＯＭ）
ＴＬ  伝送路（バス）
【図１】
0003983022.tif 000002
【図２】
0003983022.tif 000003